(57)【特許請求の範囲】
【請求項１】
入力される音響信号に応じた音を放音する第１スピーカユニットと、
前記第１スピーカユニットとは異なる放音方向が設定され、前記第１スピーカユニットに比べて口径が大きく、前記第１スピーカユニットに入力される前記音響信号の周波数帯域を含む音響信号が入力される第２スピーカユニットと、
受光した光信号に応じた第１光電流を出力する第１受光素子と、
前記第１受光素子とは異なる受光方向が設定され、受光した光信号に応じた第２光電流を出力する第２受光素子と、
前記第１受光素子、前記第２受光素子、前記第１スピーカユニット、及び前記第２スピーカユニットが設けられ、前記第１受光素子の受光方向を操作位置に向けた第１状態と、前記第２受光素子の受光方向を操作位置に向けた第２状態との２つの状態で設置可能な筐体と、
前記第１及び第２光電流に応じて、前記筐体が前記第１及び第２状態のいずれの状態にあるのかを検出し、検出結果に基づいた制御を行う制御部と、
を備え、
前記筐体は、前記第１状態において前記第１スピーカユニットの放音方向が受聴位置に向けられ、前記第２状態において前記第２スピーカユニットの放音方向が受聴位置に向けられ、
前記制御部は、前記検出結果に基づいて、前記第１及び第２スピーカユニットに入力する前記音響信号の周波数特性を補正する処理を実行することを特徴とするスピーカ装置。
【請求項２】
前記第１及び第２光電流を電圧に変換し、前記制御部に出力する電圧変換部を備え、
前記制御部は、前記電圧変換部が変換した電圧に基づいて、前記第１及び第２状態のいずれの状態にあるのかを検出することを特徴とする請求項１に記載のスピーカ装置。
【請求項３】
前記第１及び第２受光素子から前記第１及び第２光電流に応じた信号が入力され、当該信号をデコードし、デコードした結果を前記制御部に出力する信号処理部を備えることを特徴とする請求項１又は請求項２に記載のスピーカ装置。
【請求項４】
前記制御部は、前記第１及び第２光電流に応じて、前記筐体が前記第１状態であると検出したことに応じて、前記第２受光素子による受光動作を停止することを特徴とする請求項１乃至請求項３のいずれかに記載のスピーカ装置。
【請求項５】
前記制御部は、当該スピーカ装置の電源投入時において、前記検出結果に基づいた制御を行うことを特徴とする請求項１乃至請求項４のいずれかに記載のスピーカ装置。
【請求項６】
受光した光信号に応じた第１光電流を出力する第１受光素子と、
前記第１受光素子とは異なる受光方向が設定され、受光した光信号に応じた第２光電流を出力する第２受光素子と、
前記第１及び第２受光素子が設けられ、前記第１受光素子の受光方向を操作位置に向けた第１状態と、前記第２受光素子の受光方向を操作位置に向けた第２状態との２つの状態で設置可能な筐体と、
前記第１及び第２光電流に応じて、前記筐体が前記第１及び第２状態のいずれの状態にあるのかを検出し、検出結果に基づいた制御を行う制御部と、
を備え、
前記制御部は、前記第１及び第２光電流に応じて、前記筐体が前記第１状態であると検出したことに応じて、前記第２受光素子による受光動作を停止することを特徴とする受信装置。
【発明の詳細な説明】
【技術分野】
【０００１】
本願に開示の技術は、異なる受光方向を向いた受光素子が設けられた受信装置において、受信装置の姿勢の変更に応じた制御を行う技術に関するものである。
【背景技術】
【０００２】
従来、複数のスピーカユニットを細長い筐体に内蔵した、いわゆる、「サウンドバー」がある（例えば、特許文献１など）。サウンドバーなどのスピーカ装置は、テレビに接続して使用したりするが、近年のテレビの薄型化や大型化に対応するため、デザイン上の理由や設置スペースの制約などから、スピーカ装置にも薄型化が要求されるようになっている。その結果、スピーカ装置は、薄型化によって、マルチウェイのスピーカユニットを同一面に配置することが困難になっている。特許文献１に開示されるスピーカ装置では、一方向に長い直方体形状の筐体を有し、当該筐体に設けられた複数の面のうち、隣り合う２つの面（文献では、面１１１，面１１２）にスピーカユニットが設けられている。このスピーカ装置は、筐体の長手方向を軸方向として９０度だけ回転し、例えば、壁に掛けて使用する状態と、ラック等の上に置いて使用する状態とで、装置の設置の方向が変更される。
【先行技術文献】
【特許文献】
【０００３】
【特許文献１】特許５５８２６６８号公報
【発明の概要】
【発明が解決しようとする課題】
【０００４】
ところで、上記したスピーカ装置では、壁に掛けて使用する場合と、ラック等の上に置いて使用する場合とではスピーカユニットの向きが異なるため、向きに応じて制御内容を変更するために、筐体の向きを検出する装置を備える。例えば、上記特許文献には、筐体の向きを検出する方法として、重力検出器を用いる技術が開示されている。しかしながら、この方法では、例えば、ジャイロセンサなどの重力検出用素子を設ける場合には、ジャイロセンサを駆動するための発振回路などが必要となり、構造が複雑化する虞がある。
【０００５】
本願に開示される技術は、上記の課題に鑑み提案されたものである。設置状況に応じて筐体の向きが変更される受信装置において、複数の受光素子が受光した光信号に基づいて装置の向きを検出可能とする受信装置及びスピーカ装置を提供することを目的とする。
【課題を解決するための手段】
【０００６】
本願に開示される技術に係るスピーカ装置は、入力される音響信号に応じた音を放音する第１スピーカユニットと、第１スピーカユニットとは異なる放音方向が設定され、第１スピーカユニットに比べて口径が大きく、第１スピーカユニットに入力される音響信号の周波数帯域を含む音響信号が入力される第２スピーカユニットと、受光した光信号に応じた第１光電流を出力する第１受光素子と、第１受光素子とは異なる受光方向が設定され、受光した光信号に応じた第２光電流を出力する第２受光素子と、第１受光素子、第２受光素子、第１スピーカユニット、及び第２スピーカユニットが設けられ、第１受光素子の受光方向を操作位置に向けた第１状態と、第２受光素子の受光方向を操作位置に向けた第２状態との２つの状態で設置可能な筐体と、第１及び第２光電流に応じて、筐体が第１及び第２状態のいずれの状態にあるのかを検出し、検出結果に基づいた制御を行う制御部と、を備え、筐体は、第１状態において第１スピーカユニットの放音方向が受聴位置に向けられ、第２状態において第２スピーカユニットの放音方向が受聴位置に向けられ、制御部は、検出結果に基づいて、第１及び第２スピーカユニットに入力する音響信号の周波数特性を補正する処理を実行することを特徴とする。
【０００７】
当該スピーカ装置は、第１受光素子の受光方向を操作位置に向けた第１状態と、第２受光素子の受光方向を操作位置に向けた第２状態との異なる状態で筐体が設置可能となっている。制御部は、第１及び第２受光素子が出力した第１及び第２光電流に応じて、筐体の状態、即ち、筐体の向きを検出する。第１及び第２受光素子が受光する光信号とは、例えば、赤外線リモコンの信号である。ここで、従来のスピーカ装置では、筐体の向きを検出するために、ジャイロセンサなどの重力検出器を備えていた。ジャイロセンサは、コリオリ力などを利用して重力方向を検出するために、センサの電極を駆動する発振回路などが必要となる。これに対し、当該スピーカ装置は、このような複雑な駆動源を必要としない受光素子を用いて、筐体の向きを検出するため、装置全体の構造の簡略化が期待できる。また、当該スピーカ装置では、第１及び第２光電流に基づいて自動で向きを検出することが可能となるため、スピーカ装置に向きを設定するためにユーザが意図的に操作等する必要がなくなる。
【０００８】
また、サウンドバーなどのスピーカ装置は、部屋のレイアウトに応じて装置の設置の方向が変更されることがある。そして、この種のスピーカ装置では、壁に掛けた状態や、ラック上に置いた状態など、装置の設置の方向を変更した場合でも、受聴位置からリモコン操作が可能となるように、リモコン信号を受信するための受信部が複数箇所に設けられることがある。当該スピーカ装置は、このようなスピーカ装置が本来的に備える複数の受信部を有効活用し、ジャイロセンサなどを必要とせずに、装置の向きを検出可能とする点でも優れている。
また、当該スピーカ装置では、口径及び放音方向が異なる第１及び第２スピーカユニットを備える。スピーカ装置は、筐体の向きを変えることで、第１及び第２スピーカユニットのいずれかの放音方向を、受聴位置に向けることが可能となっている。制御部は、第１及び第２受光素子の第１及び第２光電流に基づいて筐体の状態を検出し、検出結果に応じて第１及び第２スピーカユニットに入力する音響信号の周波数特性を補正する。制御部は、例えば、第１及び第２スピーカユニットの口径の差と、放音方向の違いとに起因した受聴位置での音質の変化を補正するように、周波数特性を変更する。より具体的には、第１及び第２スピーカユニットは、口径が異なるため、得意となる再生帯域が異なる。一般的に、口径の小さい第１スピーカユニットは、より口径が大きい第２スピーカユニットに比べて、高域の再生が得意となる。このため、受聴位置に第１スピーカユニットの放音方向が向けられた第１状態では、第１スピーカユニットによる高域の音声の影響が受聴者に対して大きくなる。当該スピーカ装置では、第１及び第２スピーカユニットに対し、周波数帯域が重複した音響信号が入力される。そこで、制御部は、例えば、第１状態において、受聴位置とは異なる方向に放音方向が設定された第２スピーカユニットから再生される音声の周波数帯域のうち、第１スピーカユニットが得意としない中域の周波数帯域の音声が強調されるように、周波数特性を変更する。これにより、スピーカ装置の設置の方向を変更したことに起因した受聴位置での音質変化を抑制することが可能となる。
【０００９】
また、本願に開示される技術に係るスピーカ装置において、第１及び第２光電流を電圧に変換し、制御部に出力する電圧変換部を備え、制御部は、電圧変換部が変換した電圧に基づいて、第１及び第２状態のいずれの状態にあるのかを検出する構成としてもよい。
【００１０】
当該スピーカ装置では、電圧変換部が変換した電圧に基づいて、制御部が筐体の状態（向き）を検出する。例えば、第１及び第２受光素子を、受光量に応じて第１及び第２光電流が増大する回路に接続したとする。第１状態では、第１受光素子の受光方向に、操作位置が配置される。一方で、第２受光素子は、操作位置とは異なる方向に受光方向が設定される。そして、操作位置で操作者がリモコンを操作し光信号を当該スピーカ装置に向けて送信した場合、第１受光素子の受光量が、第２受光素子の受光量に比べて増大する。この場合、第１光電流が相対的に増大する。このため、電圧変換部が変換した電圧も、受光量に応じて増減する。当該スピーカ装置では、このような受光量に応じて変動する電圧値に基づいて、筐体の状態が検出可能となる。
【００１１】
また、本願に開示される技術に係るスピーカ装置において、第１及び第２受光素子から第１及び第２光電流に応じた信号が入力され、当該信号をデコードし、デコードした結果を制御部に出力する信号処理部を備える構成としてもよい。
【００１２】
信号処理部は、例えば、第１及び第２受光素子が出力した第１及び第２光電流、あるいは当該光電流を変換した電圧が入力される。信号処理部は、入力された信号をデコードする。例えば、信号処理部は、スピーカ装置に付属のリモコンから第１及び第２受光素子に赤外線が送信された場合に、赤外線に含まれるコード信号をデコードし、デコードした結果を制御部に出力する。ここで、当該スピーカ装置は、配置や向きを変更する様々な装置、例えば、リモコンで操作可能なスピーカ装置、照明装置、表示装置に搭載することが可能である。この場合、制御部は、信号処理部から入力されたデータ（リモコンからの指令）に基づいて、例えば、スピーカユニットの音量を変更したり、照明装置の明るさを変更したり、モニターの表示を変更したりする。つまり、当該スピーカ装置では、筐体の向きを検出するための受光素子と、装置付属のリモコンからの指令を受信するための受光素子とを兼用することが可能となる。このため、各受光素子を別々に備える場合に比べて、回路構成の簡略化等が可能となる。
【００１３】
また、本願に開示される技術に係るスピーカ装置において、制御部は、第１及び第２光電流に応じて、筐体が第１状態であると検出したことに応じて、第２受光素子による受光動作を停止する構成としてもよい。
【００１４】
当該スピーカ装置では、第１状態、即ち、第１受光素子の受光方向を操作位置に向けた状態では、操作位置を向いていない第２受光素子による受光動作を、不要であるとして停止する。例えば、第１状態において、第２受光素子が、リモコンからの操作指示などの有効な光信号を受信する可能性が低い方向を向いている場合には、第２受光素子を含む処理回路は停止することが好ましい。これにより、消費電力の低減等が図れるからである。
【００１５】
また、本願に開示される技術に係るスピーカ装置において、制御部は、当該スピーカ装置の電源投入時において、検出結果に基づいた制御を行う構成としてもよい。
【００１６】
装置の設置方向（向き）に応じて制御内容の変更が必要な装置には様々なものがある。例えば、スピーカ装置では、装置の向きが変更されると、スピーカユニットの放音方向が受聴位置に対して変更される。このため、スピーカ装置の向きが変更された場合には、向きに応じた音質調整などの処理が必要となってくる。当該スピーカ装置は、このような装置の向きに応じた制御内容の変更を、電源投入時に実行することで、装置の向きに最適化した制御をより迅速に適用することが可能となる。
【００１７】
また、本願に開示される技術に係る受信装置は、受光した光信号に応じた第１光電流を出力する第１受光素子と、第１受光素子とは異なる受光方向が設定され、受光した光信号に応じた第２光電流を出力する第２受光素子と、第１及び第２受光素子が設けられ、第１受光素子の受光方向を操作位置に向けた第１状態と、第２受光素子の受光方向を操作位置に向けた第２状態との２つの状態で設置可能な筐体と、第１及び第２光電流に応じて、筐体が第１及び第２状態のいずれの状態にあるのかを検出し、検出結果に基づいた制御を行う制御部と、を備え、制御部は、第１及び第２光電流に応じて、筐体が第１状態であると検出したことに応じて、第２受光素子による受光動作を停止することを特徴とする。
【００１８】
当該受信装置は、駆動源を必要としない受光素子を用いて、筐体の向きを検出するため、装置全体の構造の簡略化が期待できる。また、当該受信装置では、第１及び第２光電流に基づいて自動で向きを検出することが可能となるため、受信装置に向きを設定するためにユーザが意図的に操作等する必要がなくなる。また、当該受信装置は、スピーカ装置が本来的に備える複数の受信部を有効活用し、ジャイロセンサなどを必要とせずに、装置の向きを検出可能とする点でも優れている。さらに、当該受信装置では、第１状態、即ち、第１受光素子の受光方向を操作位置に向けた状態では、操作位置を向いていない第２受光素子による受光動作を、不要であるとして停止する。これにより、消費電力の低減等が図れる。
【発明の効果】
【００１９】
本願に開示される技術によれば、設置状況に応じて筐体の向きが変更される受信装置において、複数の受光素子が受光した光信号に基づいて装置の向きを検出可能とする受信装置及びスピーカ装置を提供することができる。
【図面の簡単な説明】
【００２０】
【図１】実施形態のスピーカ装置を、室内のラック上に配置した状態を示す斜視図である。
【図２】実施形態のスピーカ装置を、室内の壁に掛けた状態を示す斜視図である。
【図３】スピーカ装置の構成を示すブロック図である。
【図４】受信部の構成を示すブロック図である。
【図５】別例の受信部の構成を示すブロック図である。
【発明を実施するための形態】
【００２１】
以下、本発明を具体化した一実施形態について添付図面を参照しながら説明する。図１は、本願発明の一実施形態であるスピーカ装置１０と、当該スピーカ装置１０に接続されたテレビ１３と、当該スピーカ装置１０が載置されたラック１５とが設置された部屋２００の斜視図を示している。以下の説明では、図１に示すように、部屋２００の床２０１に対して垂直な方向を上下方向、スピーカ装置１０から受聴位置２１０に向かう方向を前方、受聴位置２１０から見たスピーカ装置１０の左右に向かう方向を左右方向として説明する。
【００２２】
図１に示すように、テレビ１３は、壁２０３に沿って取り付けられている。ラック１５は、テレビ１３の下方において、背面が壁２０３に沿った状態で床２０１上に配置されている。スピーカ装置１０は、ラック１５上に載置されており、テレビ１３の下方に位置している。スピーカ装置１０とテレビ１３とは、例えば、ＨＤＭＩ（登録商標）（High Definition Multimedia Interface）端子（図３参照）に接続されたケーブルを介して互いに接続されており、音声と映像とを連動させて再生することが可能となっている。
【００２３】
スピーカ装置１０は、一方向（図中においては左右方向）に長く、上下方向の幅に比べて前後方向の幅が長い直方体形状のケース２１を有する。ケース２１は、隣り合う面２１Ａ，２１Ｂ（図中においては前面と上面）のうち、面２１Ａには２つの第１スピーカユニット２３が、面２１Ｂには２つの第２スピーカユニット２４及び２つの第３スピーカユニット２５が取り付けられており、合計で６つのスピーカユニットが取り付けられている。スピーカ装置１０は、図１に示すテレビ１３の他に、例えば、パソコンや外付けハードディスクなどと接続された音響ケーブルから入力される音楽や、ネットワークなどを経由して入力される音楽をメモリ５５（図３参照）に記憶するなどし、内蔵された各スピーカユニット２３〜２５から再生する。なお、本実施形態のスピーカ装置１０は、後述する図２に示すように、ケース２１の向きを変更して使用することが可能な装置である。
【００２４】
スピーカ装置１０は、図１に示す状態において、受聴位置２１０側を向いた前方の面２１Ａに、２つの第１スピーカユニット２３が取り付けられている。なお、２つの第１スピーカユニット２３は、同様の構成となっているが、これらを区別して説明する場合には、図１に示すように符号の後ろにアルファベット、第１スピーカユニット２３Ｌ（レフト）、第１スピーカユニット２３Ｒ（ライト）付して説明する。他の第２スピーカユニット２４Ｌ，２４Ｒ及び第３スピーカユニット２５Ｌ，２５Ｒについても同様とする。
【００２５】
面２１Ａは、図１に示す状態では、上下方向及び左右方向に平面が沿った状態となっている。ケース２１は、面２１Ａの左側の端部部分に第１スピーカユニット２３Ｌが取り付けられ、右側の端部部分に第１スピーカユニット２３Ｒが取り付けられている。２つの第１スピーカユニット２３Ｌ，２３Ｒは、ともに受聴位置２１０を向いた状態となっている。
【００２６】
また、第１スピーカユニット２３は、他の第２及び第３スピーカユニット２４，２５に比べて口径が小さい。ここでいう口径とは、例えば、コーン型の振動板の直径をいう。また、本実施形態の第１及び第２スピーカユニット２３，２４は、口径は異なるが、フルレンジ用のスピーカとして同様の構成となっている。一般的に、スピーカユニットは、口径が小さいほど高域の再生を得意とし、口径が大きいほど低域の再生を得意とする。このため、第１スピーカユニット２３は、第２スピーカユニット２４に比べて口径が小さく、より高域の再生を得意とする構造となっている。例えば、第１スピーカユニット２３は、可聴域の周波数範囲内において、より高い周波数の音を出力するのに最適化されたツイーターとして機能する。
【００２７】
面２１Ｂは、図１に示す状態では上方を向いており、前後方向及び左右方向に平面が沿った状態となっている。ケース２１は、面２１Ｂの左側の端部部分に第２スピーカユニット２４Ｌが取り付けられ、右側の端部部分に第２スピーカユニット２４Ｒが取り付けられている。第２スピーカユニット２４は、第１スピーカユニット２３の向きとは直交する上方を向いた状態となっている。第２スピーカユニット２４は、第１スピーカユニット２３に比べて口径が大きく、第３スピーカユニット２５に比べて口径が小さく、中域の再生を得意とする構造となっている。例えば、第２スピーカユニット２４は、可聴域の周波数範囲内において、中間帯域の周波数の音を出力するのに最適化されたウーファとして機能する。
【００２８】
また、第３スピーカユニット２５は、面２１Ｂに取り付けられている。ケース２１は、左右方向において、第２スピーカユニット２４Ｌよりも内側部分に第３スピーカユニット２５Ｌが取り付けられ、第２スピーカユニット２４Ｒよりも内側部分に第３スピーカユニット２５Ｒが取り付けられている。第３スピーカユニット２５は、第２スピーカユニット２４と同様に、上方を向いた状態となっている。第３スピーカユニット２５は、第１及び第２スピーカユニット２３，２４に比べて口径が大きく、より低域の再生を得意とする構造となっており、サブウーファとして機能する。
【００２９】
上述したように、スピーカ装置１０は、６つのスピーカ（第１スピーカユニット２３等）が、受聴位置２１０に対して左右方向に延びるケース２１の左右方向の両側に設けられており、受聴位置２１０の受聴者２２０（図３参照）に対し、左右方向（水平方向）において広がり感のある音を放音するようになっている。
【００３０】
また、スピーカ装置１０は、スピーカ装置１０に付属の赤外線リモコン２３０（図３参照）からの赤外線を受信するための２つの受信部２７Ａ，２７Ｂを有する。受信部２７Ａは、面２１Ａの左右方向における中央部に設けられている。受信部２７Ｂは、面２１Ｂの左右方向における中央部であって、第３スピーカユニット２５に挟まれた後方側の位置に設けられている。図１に示す状態では、受信部２７Ａが、受聴位置２１０側（前方）を向いた状態であり、受信部２７Ｂが上方を向いた状態となっている。
【００３１】
図２は、スピーカ装置１０の設置の方向を変更して設置した状態を示している。図２に示す状態では、スピーカ装置１０は、左右方向（ケース２１の長手方向）に沿った軸を中心に、面２１Ｂを受聴位置２１０側に向けるように９０度だけ、ケース２１の向きを回転した状態となっている。スピーカ装置１０は、テレビ１３と同様に、図示しない取付部材によって壁２０３に取り付けられている。スピーカ装置１０は、図２に示す状態では、受聴位置２１０に対して第２及び第３スピーカユニット２４，２５が向いた状態となっている。また、受信部２７Ａ，２７Ｂのうち、受信部２７Ｂが、受聴位置２１０側を向いた状態となっている。スピーカ装置１０は、面２１Ａ（図１参照）が下方を向いており、第１スピーカユニット２３及び受信部２７Ａが床２０１に向いた状態となっている。
【００３２】
本実施形態のスピーカ装置１０は、図１及び図２のいずれの状態においても第１〜第３スピーカユニット２３〜２５への音響信号の入力を切り替えることなく、すべてのスピーカユニット２３〜２５から音声を再生する。ここで、第１〜第３スピーカユニット２３〜２５の各々は、互いに口径が異なり、放音される音の指向性も異なる。スピーカユニットは、一般的に、口径が小さくなるに従って指向性が高くなる。図１に示す状態と、図２に示す状態とでは、このような指向性を有する第１〜第３スピーカユニット２３〜２５の受聴位置２１０に対する向きが異なり、受聴位置２１０における音場を形成する支配的なスピーカユニットが変更されることとなる。例えば、図１に示す状態では、受聴位置２１０を向いている第１スピーカユニット２３Ｒが、他のスピーカユニット２４，２５に比べて支配的となり、受聴者２２０（図３参照）の耳に聴こえる音への影響度が大きくなる。このため、同じ音楽を再生したとしても、図１及び図２の各々の状態で、受聴位置２１０における音質が変化することが問題となる。そこで、本実施形態のスピーカ装置１０では、このような設置方向の違いによる受聴位置２１０での音質変化を抑制する処理を実施している。これにより、当該スピーカ装置１０では、設置方向を変更する場合に、出力するスピーカユニットを切り替えるのではなく、すべてのスピーカユニット２３〜２５から出力しつつ、音質変化を抑えた音声再生を実現する。
【００３３】
図３は、スピーカ装置１０の構成を示すブロック図である。図３に示すように、スピーカ装置１０は、デコーダ部３１と、ポストプロセッシング部３３と、Ｄ／Ａ変換器３５と、電子ボリューム３７と、パワーアンプ（電力増幅回路）３９と、これらを統括制御するコントローラ４１等を有する。デコーダ部３１及びポストプロセッシング部３３は、例えば、ＤＳＰ（Digital Signal Processor）により実現されている。
【００３４】
デコーダ部３１は、テレビ１３の他に、ＤＶＤプレーヤー、スーパーオーディオＣＤプレーヤーなどのデジタルオーディオ機器から音響信号を入力し、例えば、２．１チャンネルのマルチチャンネル信号を出力する。デコーダ部３１は、例えば、ＤＩＲ（Digital Interface Receiver）からのビットストリーム信号、Ｄ／Ａ変換器からのマルチチャンネルＰＣＭ信号、及びＨＤＭＩ（登録商標）（High Definition Multimedia Interface）端子からのマルチチャンネル・ビットストリーム信号を入力し、ドルビーデジタル、ＤＴＳ（Digital Theater Systems）、ＡＡＣ（Advanced Audio Coding）などで圧縮されているデータを展開し、レフト（Ｌ）チャンネル、ライト（Ｒ）チャンネルに加え、低周波数帯域の成分を多く含む低音域（ＬＦＥ）チャンネルを有する２．１チャンネルの信号を出力する。
【００３５】
ポストプロセッシング部３３は、４つのハイパスフィルタ４３と、２つのローパスフィルタ４５と、イコライザ補正部４７と、遅延補正部４９と、レベル補正部５１等を有する。ポストプロセッシング部３３は、デコーダ部３１から入力されるステレオの２チャンネル（Ｌ、Ｒ）の信号を、第１及び第２スピーカユニット２３，２４の各々の左右に対応するハイパスフィルタ４３を介してイコライザ補正部４７に出力する。ハイパスフィルタ４３は、所定のカットオフ周波数以下の周波数帯域の成分を減衰させ、第１及び第２スピーカユニット２３，２４の再生帯域に対応する帯域成分を選択的に通過させる。ハイパスフィルタ４３のカットオフ周波数は、例えば１００Ｈｚである。従って、本実施形態のスピーカ装置１０では、口径及び放音方向が異なる第１スピーカユニット２３と第２スピーカユニット２４とに対し、同一の周波数帯域（例えば、中帯域以上）の音響信号が入力される。
【００３６】
また、ポストプロセッシング部３３は、デコーダ部３１から入力される２チャンネル（Ｌ、Ｒ）の信号と、低音域（ＬＦＥ）チャンネルの信号とが、第３スピーカユニット２５の左右に対応する加算器５３に入力される。加算器５３は、ＬＦＥチャンネルの信号と、Ｌチャンネルの信号とを加算して、第３スピーカユニット２５Ｌから出力される左出力信号としてローパスフィルタ４５に出力する。また、加算器５３は、ＬＦＥチャンネルの信号と、Ｒチャンネルの信号とを加算して、第３スピーカユニット２５Ｒから出力される右出力信号としてローパスフィルタ４５に出力する。ローパスフィルタ４５は、所定のカットオフ周波数以上の周波数帯域の成分を減衰させ、第３スピーカユニット２５の再生帯域に対応する帯域成分を選択的にイコライザ補正部４７に出力する。
【００３７】
イコライザ補正部４７は、口径の違いによって得意とする周波数帯域が異なる第１及び第２スピーカユニット２３，２４の周波数特性の差異を補正する。第１スピーカユニット２３は、口径が比較的小さいため、第２スピーカユニット２４に比べて高域の音声再生を得意とする。中域の再生は、第２スピーカユニット２４によって補われる。
【００３８】
また、上述したように、図１及び図２に示す状態では、支配的なスピーカユニットが変更される。例えば、図１に示す状態では、受聴者２２０の耳に対して第１スピーカユニット２３の影響、即ち、より高域の音声の影響が大きくなる。第２スピーカユニット２４には、第１スピーカユニット２３と同一の周波数帯域の音響信号が入力される。そこで、イコライザ補正部４７は、例えば、第２スピーカユニット２４に入力される音響信号に対し、第１スピーカユニット２３が不得意とする中域の周波数帯域を強調する処理を行う。あるいは、イコライザ補正部４７は、例えば、支配的となる第１スピーカユニット２３に入力される音響信号に対して、高域の周波数帯域を減衰させる処理を行う。このように、イコライザ補正部４７は、第１及び第２スピーカユニット２３，２４が得意又は不得意とする周波数帯域を、強調又は減衰させることによって、受聴位置２１０に供給する音声として足りない周波数帯域を補う、あるいは過剰に供給される周波数帯域を抑制する処理を行う。
【００３９】
また、イコライザ補正部４７は、図２に示す場合には、図１に示す場合とは逆の処理を行う。具体的には、イコライザ補正部４７は、例えば、第１スピーカユニット２３に入力される音響信号に対して、第２スピーカユニット２４が不得意とする高域の周波数帯域を強調する処理を行い、第２スピーカユニット２４に入力される音響信号に対して、中域の周波数帯域を減衰させる処理を行う。なお、イコライザ補正部４７は、第３スピーカユニット２５に入力される音響信号に、第１及び第２スピーカユニット２３，２４に入力される音響信号の周波数帯域と重複する部分が含まれる場合などには、第３スピーカユニット２５に入力される音響信号に対しても同様の処理を実行してもよい。
【００４０】
遅延補正部４９は、図１及び図２に示す各状態で変化する受聴位置２１０での音声の遅延を補正する。スピーカ装置１０から放音される音は、受聴位置２１０にいる受聴者２２０が、前方にある１つの点音源から聴こえているかのように感じられるのが理想的である。しかしながら、例えば、図１に示す状態では、第２及び第３スピーカユニット２４，２５は、上方を向いており、音がスピーカユニット２４，２５から受聴位置２１０まで部屋２００内を伝達する距離が、第１スピーカユニット２３の音が伝達する距離に比べて長くなる。その結果、第２及び第３スピーカユニット２４，２５から放音される音は、受聴位置２１０に到達するまでに遅延が発生する。同様に、図２に示す状態では、第１スピーカユニット２３から放音される音は、伝達する距離が長くなるため遅延が発生する。このため、受聴者２２０は、各スピーカユニット２３〜２５から同時に放音された音が、異なるタイミングで耳に入ることで、点音源ではなく、複数の音源から音が放音されているという違和感を感じる虞がある。
【００４１】
また、第１及び第２スピーカユニット２３，２４の一方から放音された音と、その音から所定時間だけ遅延した音とが、繰り返し受聴位置２１０に到達することにより、周波数特性上のピークやディップが周期的に発生する。その結果、例えば、可聴域の特定の周波数帯域の音が強調されたり、消音されたりする虞もある。これに対し、遅延補正部４９は、各状態における音の遅延を補正するために、例えば、図１に示す状態では、第２及び第３スピーカユニット２４，２５から音を放音するタイミングから、第１スピーカユニット２３から音を放音するタイミングまでの間に、伝達する距離の差に応じた遅延を付与する。これにより、理想的には、スピーカ装置１０の設置の方向を変更したとしても、各スピーカユニット２３，２４から受聴位置２１０に到達する音波の位相を揃えて、受聴者２２０に対し、違和感なく点音源から聴こえている感覚を与えることが可能となる。なお、遅延補正部４９は、第３スピーカユニット２５に入力される音響信号に対しても同様の処理を実行してもよい。
【００４２】
また、第１及び第２スピーカユニット２３，２４は、互いに口径が異なることによって、再生される音の音圧が異なってくる。このため、図１及び図２に示す各状態では、受聴位置２１０を向くスピーカユニットが変更されることによって、受聴者２２０の耳に入る音の音圧レベルも変更される。レベル補正部５１は、このような音圧レベルの変化を抑制するための処理を行う。より具体的には、レベル補正部５１は、例えば、図１に示す状態では、受聴位置２１０側を向く第１スピーカユニット２３に入力される音響信号のレベルを下げる処理、及び第２スピーカユニット２４に入力される音響信号のレベルを上げる処理の少なくとも一方を行う。理想的には、レベル補正部５１は、電子ボリューム３７のボリューム値ｅｖが同一であれば、スピーカ装置１０の設置の方向を変更したとしても、受聴位置２１０における音圧が同一となるように調整を行うことが好ましい。レベル補正部５１が調整する音圧レベルは、予めシミュレーションや実測を行うことで設定が可能である。
【００４３】
ポストプロセッシング部３３の各補正部４７，４９，５１によって処理されたデジタルの音響信号は、Ｄ／Ａ変換器３５に入力される。Ｄ／Ａ変換器３５は、デジタルの音響信号を、アナログの音響信号に変換し、アナログ化された音響信号を電子ボリューム３７に出力する。電子ボリューム３７は、コントローラ４１から指示されたボリューム値ｅｖで音響信号の電圧レベルを調整する。
【００４４】
コントローラ４１は、例えば、ＣＰＵを主体とする処理回路である。受信部２７Ａ，２７Ｂは、赤外線リモコン２３０から送られてくる赤外線のコード信号をデコードし、デコードした結果をコントローラ４１に出力する。コントローラ４１は、例えば、受信部２７Ａ，２７Ｂから入力されるコード信号に応じて、電子ボリューム３７のボリューム値ｅｖを増減させる。これにより、受聴者２２０は、赤外線リモコン２３０を操作することにより、再生される音声の音量を変更することが可能となる。また、コントローラ４１は、例えば、デコードされた信号に基づいて、スピーカ装置１０の電源のオン・オフの切り替え、音響信号を入力するソースの切り替え、あるいは音響処理の内容（イコライザ補正部４７によるイコライジングの設定値など）などの変更を行う。
【００４５】
また、スピーカ装置１０が有するメモリ５５は、コントローラ４１が制御に用いる各種データやプログラムを記憶するものであり、例えば、ポストプロセッシング部３３等のＤＳＰで実行されるプログラムが記憶されている。
【００４６】
電子ボリューム３７は、電圧値を調整した音響信号を、パワーアンプ３９に出力する。パワーアンプ３９は、第１〜第３スピーカユニット２３〜２５に接続されている。パワーアンプ３９は、入力された音響信号を増幅し、第１〜第３スピーカユニット２３〜２５に出力する。そして、スピーカ装置１０は、例えば、第１スピーカユニット２３Ｌから左出力信号、第１スピーカユニット２３Ｒから右出力信号を出力する。
【００４７】
次に、コントローラ４１がケース２１の向きを検出する方法について説明する。本実施形態のコントローラ４１は、赤外線リモコン２３０から受信部２７Ａ，２７Ｂが受光した赤外線の受光量に基づいて、ケース２１の向き（図１の状態か図２の状態か）を検出する。図４は、受信部２７Ａ，２７Ｂの構成を示している。受信部２７Ａは、受光素子６１と、電圧変換部６３と、リモコン信号処理部６５とを有する。受信部２７Ｂは、受光素子７１と、電圧変換部７３と、リモコン信号処理部７５とを有する。受信部２７Ｂは、受信部２７Ａと同様の構成となっているため、以下の説明では、受信部２７Ａを中心に説明し、受信部２７Ｂについての説明を適宜省略する。
【００４８】
受光素子６１は、例えば、フォトダイオードであり、赤外線リモコン２３０から送信される赤外線を受信して、受信した赤外線の受光量に応じた大きさの光電流Ｉを電圧変換部６３に出力する。なお、受光素子６１は、フォトダイオードに限らず、フォトトランジスタなどの他の光電変換が可能な素子でもよい。電圧変換部６３は、受光素子６１から入力される光電流Ｉを電圧信号Ｖに変換するものであり、変換後の電圧信号Ｖをコントローラ４１のアナログポート４１Ａに出力する。同様に、受信部２７Ｂは、受光素子７１が出力した光電流Ｉを、電圧変換部７３によって電圧信号Ｖに変換しコントローラ４１のアナログポート４１Ｂに出力する。
【００４９】
例えば、図１に示す状態では、受信部２７Ａは、受聴位置２１０（受聴者２２０が赤外線リモコン２３０を操作する操作位置）に面している。一方で、受信部２７Ｂは、天井を向いており、受聴位置２１０（操作位置）とは異なる方向に面している。本実施形態の受信部２７Ａ，２７Ｂでは、光電流Ｉが受光量に比例して増大する構成となっている。このため、受聴者２２０が受聴位置２１０で赤外線リモコン２３０を操作した場合、受信部２７Ａから出力される光電流Ｉが、受信部２７Ｂから出力される光電流に比べて大きくなり、電圧信号Ｖの電圧値も大きくなる。コントローラ４１は、アナログポート４１Ａから入力された電圧信号Ｖの電圧値が、アナログポート４１Ｂから入力された電圧信号Ｖの電圧値に比べて大きい場合、スピーカ装置１０が図１に示すラック１５上に置かれた状態であると判定する。つまり、当該スピーカ装置１０では、赤外線リモコン２３０から受信した赤外線の受光量が、ケース２１の向きによって変化することを利用して、ケース２１の向きを検出している。コントローラ４１は、ケース２１の向きを検出すると、検出した向きに応じて、上述した各補正部４７，４９，５１による音響処理の内容を設定等する。
【００５０】
また、電圧変換部６３は、変換後の電圧信号Ｖをリモコン信号処理部６５に出力する。リモコン信号処理部６５は、赤外線リモコン２３０から送信される赤外線のコード信号をデコードする。リモコン信号処理部６５は、電圧変換部６３から入力された電圧信号Ｖに対し、増幅処理、フィルタリング、波形の整形処理などを実行した後、デコード処理を行ってコントローラ４１のデジタルポート４１Ｃに出力する。同様に、受信部２７Ｂのリモコン信号処理部７５は、電圧変換部７３から入力される電圧信号Ｖをデコードし、コントローラ４１のデジタルポート４１Ｄに出力する。従って、本実施形態の受信部２７Ａ，２７Ｂは、ケース２１の向きを判別するために使用する受光素子６１，７１が、リモコン信号を受信するための受光部として兼用されている。
【００５１】
また、コントローラ４１は、ケース２１の向きを検出した後、２つの受信部２７Ａ，２７Ｂのうち、いずれの受信部２７Ａ，２７Ｂを利用し、赤外線リモコン２３０からの赤外線を受信すべきかを制御する。詳述すると、例えば、図１に示す状態では、受信部２７Ｂは、天井を向いた状態となり、受聴位置２１０で受聴者２２０が赤外線リモコン２３０を操作しても赤外線を受信する可能性が低い。また、受聴位置２１０とは異なる方向を向いている受信部２７Ｂを機能させておくと、赤外線リモコン２３０以外の光源からの赤外線を受信して誤検知が発生する虞がある。また、受信する可能性が低い受信部２７Ｂ等を駆動することで不要な処理や電力の消費が発生する。そこで、コントローラ４１は、例えば、ケース２１の向きが図１に示す状態であることを検出すると、受信部２７Ｂを無効とする制御を実行する。ここでいう無効にするとは、例えば、受信部２７Ｂに対して制御信号ＣＴを出力し、受信部２７Ｂに供給される電力を停止する処理を実行する。これにより、コントローラ４１は、不要な受信部２７Ｂを無効とすることで、誤検知や不要な電力の消費等の不具合の発生を防止することが可能となる。なお、同様に、コントローラ４１は、ケース２１の向きが図２に示す状態であることを検出すると、床２０１に面した受信部２７Ａを無効とする制御を実行する。
【００５２】
また、コントローラ４１は、上記したケース２１の向きの検出及び不要な受信部２７Ａ，２７Ｂを無効とする処理を、例えば、スピーカ装置１０の電源が投入されたタイミングにおいて実行する。スピーカ装置１０は、頻繁に向きが変更されることは想定し難いため、赤外線リモコン２３０から赤外線を受信するたびに向きの検出等を実行すると、不要な処理を行うことに繋がる。そこで、本実施形態のコントローラ４１では、電源が投入された後、最初に赤外線リモコン２３０から赤外線を受信した場合に、向きを検出するとともに、不要な受信部２７Ａ，２７Ｂを無効とする処理を実行する。
【００５３】
なお、上記した実行タイミングは、一例であり、他のタイミング、例えば、スリープ状態から復帰するタイミングでもよい。ここでいうスリープ状態とは、例えば、受聴者２２０による操作が一定時間だけ行われなかった場合に、不要な電力供給を一時的に停止し消費電力を抑える状態である。あるいは、コントローラ４１は、赤外線を受信するたびに、上記した処理を実行してもよい。
【００５４】
また、コントローラ４１は、電源投入後に受信した赤外線が赤外線リモコン２３０からの信号であるかを判定するために、リモコン信号処理部６５，７５の処理結果を利用してもよい。例えば、コントローラ４１は、アナログポート４１Ａ等から電圧信号Ｖが入力された場合に、リモコン信号処理部６５，７５から入力されたデコード後の信号が有効な値でなかった場合には、次に電圧信号Ｖが入力されるまでケース２１の向きの検出等を実施しない設定でもよい。これにより、赤外線リモコン２３０以外の光源から発生した赤外線を受信し、当該赤外線に基づいて向きを判定するなどの誤動作を防止することが可能となる。
【００５５】
因みに、スピーカ装置１０は、スピーカ装置及び受信装置の一例である。受光素子６１，７１は、第１及び第２受光素子の一例である。光電流Ｉは、第１及び第２光電流の一例である。受聴位置２１０は、受聴位置及び操作位置の一例である。ケース２１は、筐体の一例である。コントローラ４１は、制御部の一例である。リモコン信号処理部６５，７５は、信号処理部の一例である。受聴位置２１０は、操作位置の一例である。
【００５６】
以上、上記した実施形態によれば、以下の効果を奏する。
（１）スピーカ装置１０は、受信部２７Ａを受聴位置２１０に向けてラック１５上に置かれた状態（図１参照）と、受信部２７Ｂを受聴位置２１０に向けて壁２０３に掛けた状態（図２参照）の２つの状態で設置可能となっている。電圧変換部６３，７３は、赤外線リモコン２３０からの赤外線の受光量に応じて受光素子６１，７１が出力した光電流Ｉを、電圧信号Ｖに変換してコントローラ４１に出力する。コントローラ４１は、電圧変換部６３，７３の各々から入力された電圧信号Ｖの大小を比較することによって、スピーカ装置１０の状態（向き）を検出する。このような構成では、ジャイロセンサなどの重力検出器を利用して向きを検出する場合に比べて、スピーカ装置１０全体の構造の簡略化が期待できる。
【００５７】
（２）リモコン信号処理部６５，７５は、赤外線リモコン２３０から送信される赤外線のコード信号をデコードするが、このデコードする信号を電圧変換部６３，７３から入力している。つまり、スピーカ装置１０は、ケース２１の向きを検出するための受光素子６１，７１と、赤外線リモコン２３０から赤外線を受信するための受光素子６１，７１とを兼用する構成となっており、回路構成の簡略化が図られている。
【００５８】
（３）コントローラ４１は、ケース２１の向きが図１に示す状態であることを検出すると、上方（天井側）を向いている受信部２７Ｂに供給される電力を停止する。これにより、コントローラ４１は、受信部２７Ｂの受光動作を停止することで、消費電力の低減等が図られている。
【００５９】
（４）コントローラ４１は、ケース２１の向きの検出及び不要な受信部２７Ａ，２７Ｂを無効とする処理を電源投入時に実行することによって、装置の向きに最適化した制御をより迅速に適用している。
【００６０】
（５）スピーカ装置１０は、口径及び放音方向が異なる第１及び第２スピーカユニット２３，２４が取り付けられている。スピーカ装置１０は、図１に示すように第１スピーカユニット２３を受聴位置２１０に向けてラック１５上に置かれた状態と、図２に示す第２スピーカユニット２４を受聴位置２１０に向けて壁２０３に掛けた状態との２つの状態で設置可能となっている。コントローラ４１は、ケース２１の向きに応じてイコライザ補正部４７を制御し、第１及び第２スピーカユニット２３，２４に入力する音響信号の周波数特性を、口径や放音方向の違いによって受聴位置２１０で音質が変化しないように補正する。これにより、スピーカ装置１０の設置の方向を変更したことに起因した受聴位置２１０での音質変化を抑制することが可能となっている。
【００６１】
尚、本発明は上記実施形態に限定されるものではなく、本発明の趣旨を逸脱しない範囲内での種々の改良、変更が可能であることは言うまでもない。
例えば、上記実施形態では、スピーカ装置１０を、ケース２１の向きを検出するための受光素子６１，７１と、赤外線リモコン２３０から赤外線を受信するための受光素子６１，７１とを兼用する構成としたが、別々の受光素子を備える構成に変更してもよい。図５は、別例の受信部８１Ａ，８１Ｂの構成を示している。受信部８１Ａは、赤外線リモコン２３０からの赤外線を変換した光電流Ｉ２をリモコン信号処理部６５に出力する受光素子８３を有する。同様に、受信部８１Ｂは、光電流Ｉ２をリモコン信号処理部７５に出力する受光素子８４を有する。なお、以下の説明において、上記実施形態と同様の構成については同一の符号を付し、その説明を適宜省略する。
【００６２】
ここで、受光素子８３及びリモコン信号処理部６５は、外部からのノイズが光電流Ｉ２に重畳されるのを防止するなどの観点から、モールドしてパッケージ化されることがある。このため、パッケージ化された回路では、回路の途中から光電流Ｉ２だけを取り出すことが困難となる。また、パッケージ化された回路には、AGC（Automatic Gain Control）回路などの入力信号の振幅が変動する場合においても出力を一定に自動調整する回路を備える場合がある。このため、パッケージ化された回路を用いると調整された出力信号が出力されるため、一定のレベルに調整された出力信号からは受光量を検出することが困難となる。そこで、受光素子８３やリモコン信号処理部６５がパッケージ化されており、必要な信号の取り出しが困難な場合には、図５に示すように、ケース２１の向きを検出するための受光素子６１，７１と、赤外線リモコン２３０から赤外線を受信するための受光素子８３，８４とを別々に設けることが、有効となってくる。この場合、受信部８１Ａが備える受光素子６１と受光素子８３とは、検出精度を高めるために、互いの素子を近接して配置することが好ましい。同様に、受信部８１Ｂが備える受光素子７１，８４も近接して配置することが好ましい。
【００６３】
また、図５に示す構成では、受信部８１Ａ，８１Ｂと、コントローラ４１との間にセレクタ５７が設けられている。リモコン信号処理部６５，７５は、デコード処理した信号をセレクタ５７に出力する。セレクタ５７は、リモコン信号処理部６５，７５から入力された信号のうち、どちらの信号を出力すべきかが、コントローラ４１から入力される制御信号ＣＴに基づいて変更される。セレクタ５７から出力された信号は、コントローラ４１のデジタルポート４１Ｃに入力される。例えば、コントローラ４１は、アナログポート４１Ａから入力された電圧信号Ｖの電圧値が、アナログポート４１Ｂから入力された電圧信号Ｖの電圧値に比べて大きい場合、スピーカ装置１０が図１に示す状態であるとし、リモコン信号処理部６５からの信号を出力するようにセレクタ５７を制御する。従って、コントローラ４１は、上記実施形態のようにケース２１の向きに応じて不要な受信部８１Ａ，８１Ｂへの電源供給を停止しない。このような構成では、コントローラ４１は、アナログポート４１Ａ，４１Ｂから入力される電圧信号Ｖに基づいて、定期的に向きを判断しながら向きに応じた適切な信号を選択することが可能となる。
【００６４】
また、上記実施形態において、コントローラ４１は、電圧信号Ｖの電圧値に基づいて向きを検出していたが、受光素子６１，７１が出力する光電流Ｉの電流値の大小に基づいて向きを検出してもよい。
また、上記実施形態において、スピーカ装置１０は、電圧変換部６３，７３が出力するアナログの電圧信号Ｖを、デジタルの電圧信号に変換するＤ／Ａ変換回路を備えてもよい。この場合、当該Ｄ／Ａ変換回路の出力は、コントローラ４１のデジタルポートに入力して処理することが可能となる。
【００６５】
また、上記実施形態では、本願における受信装置を備える装置としてスピーカ装置１０を例に説明したが、他の設置方向（向き）に応じて制御内容を変更する装置に適用してもよい。
また、スピーカ装置１０は、検出したケース２１の向きを受聴者２２０に報知する報知手段を備えてもよい。例えば、図１に示す状態と、図２に示す状態とで、異なるＬＥＤを点灯させる構成でもよい。
また、受信部２７Ａ，２７Ｂの受光部に、赤外線リモコン２３０から送信される赤外線の周波数帯域を選択的に通過させる赤外線透過フィルタを、貼り付けてもよい。これにより、赤外線以外の光（可視光など）が受光素子６１，７１に受光されるのを防止できる。そして、コントローラ４１は、誤検知が減り、向きを検出する精度が向上する。
【００６６】
また、ポストプロセッシング部３３は、３つの補正部４７，４９，５１を備えたが、イコライザ補正部４７のみで音質の調整を実施する構成でもよい。この場合、他の遅延補正部４９及びレベル補正部５１に係わる回路部分が不要となる。
また、上記実施形態では、各補正部４７，４９，５１を介して、第３スピーカユニット２５に音響信号を入力したが、第３スピーカユニット２５に入力する音響信号に対しては補正処理を実施しない構成でもよい。
【００６７】
また、スピーカ装置１０は、低音域を再生するための第３スピーカユニット２５を備えない構成でもよい。
また、３つの補正部４７，４９，５１を、ＤＳＰにより対応するプログラムが実行されることで実現する構成としたが、各補正部４７，４９，５１を演算回路等で構成したハードウェアで実装してもよい。
【００６８】
また、上記実施形態では、第１及び第２スピーカユニット２３，２４に対し、同一の周波数帯域（中帯域以上）の音響信号を入力したが、第１及び第２スピーカユニット２３，２４に入力する音響信号は、全ての帯域が同一でなくとも、一部が重複していてもよい。
また、図１及び図２に示すスピーカ装置１０の設置の方向や位置は、一例であり、適宜変更可能である。例えば、スピーカ装置１０を、第１スピーカユニット２３が上方（天井側）を向き、第２及び第３スピーカユニット２４，２５が受聴位置２１０を向く状態で設置してもよい。この場合、各スピーカユニット２３〜２５の左右の位置が逆転するため、レフト側のスピーカユニット（第１スピーカユニット２３Ｌなど）と、ライト側のスピーカユニット（第１スピーカユニット２３Ｒなど）とに入力する音響信号を切り替える回路等を、スピーカ装置１０に設けてもよい。
【００６９】
また、スピーカ装置１０は、壁２０３に沿って配置する必要はなく、壁２０３から一定の距離だけ離れた位置でもよい。
また、スピーカ装置１０の位置を固定する方法は、一例であり、例えば、図１に示す場合において、スピーカ装置１０をラック１５の上に置かずに、壁２０３に対して固定してもよい。
また、スピーカ装置１０に入力される信号は、２．１ｃｈの信号に限らず、ステレオ２ｃｈの信号でもよい。この場合、スピーカ装置１０は、第１及び第２スピーカユニット２３，２４で再生できない低域を第３スピーカユニット２５に入力する構成でもよい。また、スピーカ装置１０に入力される信号は、２．１ｃｈを超えるマルチチャンネルの信号でもよい。この場合、受聴者２２０の後方や上方にスピーカを設置せず、前方に設置した複数のスピーカから後方及び上方のサラウンドチャンネルの音を発生させる、いわゆるバーチャル・サラウンド再生を行う構成を備えてもよい。より具体的には、スピーカ装置１０は、例えば、入力される音響信号の後方チャンネルの信号に対し、受聴者２２０の後方の仮想スピーカ位置に定位させる定位付加処理部と、音響信号の左出力信号及び右出力信号に対し、受聴者２２０の左耳にスピーカユニットから放音された左出力信号のみを到達させ、受聴者２２０の右耳にスピーカユニットから放音された右出力信号のみを到達させるクロストーク・キャンセル処理部とを備える構成でもよい。
【００７０】
また、上記実施形態におけるスピーカ装置１０の各部材の数、形状、位置等は一例であり、適宜変更可能である。例えば、ケース２１を、左右方向に長い直方体形状としたが、これに限らず、丸みを帯びた形状、楕円形状、湾曲した形状等の他の形状に適宜変更してもよい。
【符号の説明】
【００７１】
１０  スピーカ装置、２１  ケース、２３  第１スピーカユニット、２４  第２スピーカユニット、４１  コントローラ、４７  イコライザ補正部、６１，７１  受光素子、６３，７３  電圧変換部、６５，７５  リモコン信号処理部、２１０  受聴位置、Ｉ，Ｉ２  光電流、Ｖ  電圧信号。
【図１】
0006485017.tif 000002
【図２】
0006485017.tif 000003
【図３】
0006485017.tif 000004
【図４】
0006485017.tif 000005
【図５】
0006485017.tif 000006